(57)【要約】【課題】１つのコンテンツに基づいた複数のプレイリストを自動生成すること。【解決手段】ＴＳ処理部２０３は、放送波処理部２０、外部機器ＩＦ部２１、再生処理部２０２などから入力されたコンテンツデータに所定の処理を施す。ＴＳ処理部２０３は、所定の処理を施したデータをデコーダ２０４、記録処理部２０５、シーン分析部２０６へ出力する。シーン分析部２０６は、入力されたコンテンツのデータを分析してカテゴリごとの複数の区間に区分け、この分析結果を情報管理部２０８を介してＨＤＤ６１へ保存する。プレイリスト生成部２０７は、シーン分析部２０６の分析結果に基づいて、カテゴリごとの複数のプレイリストを生成する。ＯＳＤ２０９はこの複数のプレイリストを提示するためのＯＳＤを生成する。【選択図】  図２
2011205415.tif 000002
【特許請求の範囲】
【請求項１】
コンテンツのデータを、シーンごとの特徴に応じて時間軸で複数の区間に区分けると共に、区分けられた複数の区間それぞれに対してカテゴリを特定する区分け手段と、
前記区分け手段が区分けた前記複数の区間のうち、前記カテゴリが同じ区間を所定順序で再生するためのプレイリストを前記カテゴリごとに複数生成する生成手段と、
前記生成手段が生成した前記複数のプレイリストそれぞれを識別するための複数の識別画像が選択可能に一画面内に提示される画面を出力する出力手段と、
を具備することを特徴とする情報編集装置。
【請求項２】
前記生成手段が前記複数のプレイリストを生成するための前記カテゴリの候補を複数提示して、当該複数の候補から任意のカテゴリを選択することをユーザに許可する候補提示手段を具備することを特徴とする請求項１記載の情報編集装置。
【請求項３】
前記生成手段は、前記候補提示手段が提示した前記複数の候補から選択され、且つ、前記コンテンツのジャンルに対して予め決定されたカテゴリごとに前記複数のプレイリストを生成することを特徴とする請求項２記載の情報編集装置。
【請求項４】
前記生成手段は、前記候補提示手段が提示した前記複数の候補から選択され、且つ、前記区分け手段が区分けた前記複数の区間それぞれに対して特定されたカテゴリごとに前記複数のプレイリストを生成することを特徴とする請求項２記載の情報編集装置。
【請求項５】
前記生成手段が生成した前記複数のプレイリストのデータを保存するための管理を行う管理手段を具備し、
前記管理手段は、前記生成手段が生成した前記カテゴリごとの前記複数のプレイリストそれぞれのデータに対する管理情報に、当該カテゴリに関連する識別情報を付与して管理することを特徴とする請求項１記載の情報編集装置。
【請求項６】
前記管理手段は、前記コンテンツのデータを保存するための管理を行うと共に、前記生成手段が生成した前記複数のプレイリストそれぞれのデータを前記コンテンツのデータよりも浅いフォルダの階層構造で保存するように管理することを特徴とする請求項５記載の情報編集装置。
【請求項７】
コンテンツのデータを、シーンごとの特徴に応じて時間軸で複数の区間に区分けると共に、区分けられた複数の区間それぞれに対してカテゴリを特定し、
区分けた前記複数の区間のうち、前記カテゴリが同じ区間を所定順序で再生するためのプレイリストを前記カテゴリごとに複数生成し、
生成した前記複数のプレイリストそれぞれを識別するための複数の識別画像が選択可能に一画面内に提示される画面を出力する、
ことを特徴とする情報編集方法。
【発明の詳細な説明】
【技術分野】
【０００１】
本発明の一実施形態は、映像音声コンテンツの情報を編集する情報編集装置及び情報編集方法に関する。
【背景技術】
【０００２】
近年、コンテンツを録画すると共に、このコンテンツの編集を自動で実行する機器が広く普及している。
例えば、特許文献１によれば、曜日、時間帯及びチャンネルなどの予約情報に基づいて、複数のテレビ番組を予約録画する機器が、録画したテレビ番組に関するプレイリストの自動生成を行う。この機器は、予約録画した曜日、時間帯及びチャンネルを参照することで、放送内容毎に自動的に並び替えたプレイリストを作成する。
【０００３】
また、番組を録画した後に、番組の本編部とＣＭ部との境界を区切った複数のチャプタ切り替え点を自動的に付与する機器が知られている。この機器は、付与したチャプタ切り替え点に基づいて、番組の本編部及びＣＭ部を特定した複数のチャプタを自動生成する。またこの機器は、自動生成された複数のチャプタのうち、番組の本編部として特定された複数のチャプタを集約したプレイリストを自動生成する。
【先行技術文献】
【特許文献】
【０００４】
【特許文献１】特開２００６−１４７０９４号公報  （図２  段落００３４）
【発明の概要】
【発明が解決しようとする課題】
【０００５】
しかし特許文献１では、同じ曜日、時間帯及びチャンネルで録画された複数のテレビ番組を順番に並べ替えたプレイリストが生成されていた。すなわち、関連する複数のテレビ番組を順番に再生するために、１つのテレビ番組に対して１つのプレイリストが生成されていた。
【０００６】
また番組の本編部を集約したプレイリストを自動生成する機器は、１つの番組に対して、番組の本編部として特定された複数のチャプタを集約した１つのプレイリストを自動生成していた。
【０００７】
従って従来は、１つのコンテンツに対して１つのプレイリストしか自動生成されていなかった。このため、１つのコンテンツに対する複数のプレイリストの生成は、機器の利用者による編集作業によってなされていた。
【０００８】
そこで、本発明は上述した課題を解決するために、１つのコンテンツに基づいた複数のプレイリストを自動生成する情報編集装置及び情報編集方法を提供することを目的とする。
【課題を解決するための手段】
【０００９】
本発明の一実施形態は上述した課題を解決するため、コンテンツのデータを、シーンごとの特徴に応じて時間軸で複数の区間に区分けると共に、区分けられた複数の区間それぞれに対してカテゴリを特定する区分け手段と、前記区分け手段が区分けた前記複数の区間のうち、前記カテゴリが同じ区間を所定順序で再生するためのプレイリストを前記カテゴリごとに複数生成する生成手段と、前記生成手段が生成した前記複数のプレイリストそれぞれを識別するための複数の識別画像が選択可能に一画面内に提示される画面を出力する出力手段と、を具備することを特徴とする情報編集装置を提供する。
【００１０】
また本発明の一実施形態は上述した課題を解決するため、コンテンツのデータを、シーンごとの特徴に応じて時間軸で複数の区間に区分けると共に、区分けられた複数の区間それぞれに対してカテゴリを特定し、区分けた前記複数の区間のうち、前記カテゴリが同じ区間を所定順序で再生するためのプレイリストを前記カテゴリごとに複数生成し、生成した前記複数のプレイリストそれぞれを識別するための複数の識別画像が選択可能に一画面内に提示される画面を出力する、ことを特徴とする情報編集方法を提供する。
【発明の効果】
【００１１】
本発明によれば、１つのコンテンツに基づいた複数のプレイリストを自動生成することができる。
【図面の簡単な説明】
【００１２】
【図１】本発明の実施形態に係る情報編集装置であるＨＤＤレコーダの構成を示すブロック図。
【図２】信号処理制御部に備えられ、プレイリスト生成処理を実行する各ブロックからなるシステム構成図。
【図３】複数のプレイリストを生成するために必要な情報を設定するためのＯＳＤの例を示す図。
【図４】プレイリスト生成処理の動作を説明するためのフローチャート。
【図５】シーン分析部によるコンテンツの情報の分析結果及び、この分析結果に応じてプレイリスト生成部が生成する複数のプレイリストの第１の具体例を示す図。
【図６】シーン分析部によるコンテンツの情報の分析結果及び、この分析結果に応じてプレイリスト生成部が生成する複数のプレイリストの第２の具体例を示す図。
【図７】保存されたコンテンツ及び複数のプレイリストに関する情報を提示するためのＯＳＤの第１の例を示す図。
【図８】保存されたコンテンツ及び複数のプレイリストに関する情報を提示するためのＯＳＤの第２の例を示す図。
【発明を実施するための形態】
【００１３】
以下、本発明における実施形態について図面を用いて説明する。
図１は、本発明の実施形態に係る情報編集装置であるＨＤＤレコーダ１０の構成を示すブロック図である。
本実施形態に係るＨＤＤレコーダ１０は、放送波処理部２０、外部機器ＩＦ部２１、操作部３１、受光部３２、信号処理制御部４０、映像出力処理部５１、音声出力処理部５２、ＨＤＤ６１などで構成されている。放送波処理部２０にはアンテナ９８が接続されている。受光部３２はリモートコントローラ（以下、リモコンと称する）９９と情報のやりとりを行う。リモコン９９は、赤外線や無線を利用する遠隔操作機器である。また映像出力処理部５１及び音声出力処理部５２は、映像音声出力機器１００と接続される。
【００１４】
本実施形態に係るＨＤＤレコーダ１０は、放送波処理部２０や外部機器ＩＦ部２１を介して受けた番組を録画する。またＨＤＤレコーダ１０は、番組のシーンごとの特徴に応じて区分けされた区間ごとのカテゴリに基づいて複数のプレイリストを生成する。このカテゴリは、番組の映像音声の特徴や種別等に基づく分類項目である。生成されたプレイリストには、コンテンツのデータの時間軸上の特定の区間を所定順序で再生するための再生順序が示される。そしてＨＤＤレコーダ１０は、生成したプレイリストを識別するための識別画像を、所定の表示態様で提示するための提示画面の映像信号を生成する。
【００１５】
放送波処理部２０は、アンテナ９８によって受信された地上または衛星によるデジタル放送波やアナログ放送波に対応するチューナおよび復調器を有する。この放送波処理部２０は、アンテナ９８が受信した受信信号を受け、この受信信号に対して特定チャンネルの選局処理及び復調処理などを施す。そして放送波処理部２０は、これらの処理を施すことで得られた、番組の映像音声情報や番組名等の番組関連情報が含まれるトランスポートストリーム信号（以下、ＴＳ信号と称する）を信号処理制御部４０へ出力する。この放送波処理部２０は複数備えられても良い。
【００１６】
外部機器ＩＦ部２１は、ＨＤＭＩ（登録商標）規格、ＵＳＢ規格又はＩＥＥＥ１３９４規格などの様々な規格に基づいて必要な情報を抽出する情報抽出部を有する。また外部機器ＩＦ部２１は、これらの規格に準じた接続端子を介して接続された外部機器や、外部ＨＤＤ、メモリカードなどの記録媒体から受けた情報から抽出したＴＳ信号を信号処理制御部４０へ出力する。接続された外部機器や記憶媒体からの情報には、コンテンツの映像音声情報やコンテンツ名等のコンテンツ関連情報が含まれる。さらに外部機器ＩＦ部２１は、接続された外部機器からアナログの映像音声信号を入力されることがある。この外部機器ＩＦ部２１は入力されたアナログの映像音声信号をＡ／Ｄ変換し、変換したデジタルの映像音声信号を信号処置制御部４０へ出力する。
【００１７】
操作部３１は、操作キーを有し、この操作キーに応じた操作情報を信号処理制御部４０へ出力する。同様に受光部３２は、リモコン９９から送信された入力信号を受光して、受光した入力信号に応じた操作情報を信号処理制御部４０へ出力する。この操作部３１及び／又はリモコン９９は、ＨＤＤレコーダ１０がプレイリストを生成するために必要な情報を設定するための画面を操作するための操作キー（不図示）を含む複数の操作キーを備えている。
【００１８】
信号処理制御部４０は、信号処理制御部４０自身に備えられた各モジュールや信号処理制御部４０に接続された各モジュールを利用して複数の処理を実行する。例えば信号処理制御部４０は、操作部３１や受光部３２を介したリモコン９９からの操作情報に応じて、放送波処理部２０や外部機器ＩＦ部２１といった入力ソースの何れかからのＴＳ信号の入力を選択する選択処理を施す。また信号処理制御部４０は、選択した入力ソースから入力されたＴＳ信号に所定の処理を施して、映像出力処理部５１へ映像情報を出力すると共に音声出力処理部５２へ音声情報を出力する。さらに信号処理制御部４０は、内蔵するＨＤＤ６１から入力されるＴＳ信号に所定の処理を施した映像音声情報を、映像出力処理部５１及び音声出力処理部５２へ出力する。
【００１９】
本実施形態では信号処理制御部４０は、放送波処理部２０や外部機器ＩＦ部２１から入力されたＴＳ信号をＨＤＤ６１へ記録する録画処理を実行する。また信号処理制御部４０は、様々な入力ソースから入力された番組の映像音声情報に基づいて、番組のシーンごとの特徴に応じて区分けされた区間ごとのカテゴリに基づいて複数のプレイリストを生成するプレイリスト生成処理を実行する。信号処理制御部４０は、このプレイリスト生成処理で必要となる情報を得るための所定の処理を実行する。さらに信号処理制御部４０は、生成した複数のプレイリストを提示するためのＯＳＤを生成するＯＳＤ生成処理も実行する。
【００２０】
映像出力処理部５１は、信号処理制御部４０から入力された映像情報に所定の処理を施し、処理を施したアナログ又はデジタルの映像信号を映像音声出力機器１００へ出力する。この映像出力処理部５１は、信号処理制御部４０で生成された複数のプレイリストを提示するためのＯＳＤの映像信号を映像音声出力機器１００へ出力する。
【００２１】
音声出力処理部５２は、信号処理制御部４０から入力された音声情報に所定の処理を施し、処理を施したアナログ又はデジタルの音声信号を映像音声出力機器１００へ出力する。
【００２２】
ＨＤＤ６１は、記憶媒体であるハードディスクに対して信号処理制御部４０から要求された情報を読み出す処理又は書き込む処理を実行するドライブ装置である。このＨＤＤ６１は、信号処理制御部４０から出力される、録画するためのフォーマットに変換された映像音声情報を記憶する。またＨＤＤ６０は、信号処理制御部４０が生成したプレイリストのデータや、信号処理制御部４０がこのプレイリストを生成するために必要なデータを記憶する。ＨＤＤ６１は、ハードディスクを利用するドライブ装置でなく、情報を記憶するための記憶媒体である半導体素子に対して情報を読み出す処理又は書き込む処理を実行するＳＳＤ（Solid State Drive）であってもよい。また、このＨＤＤ６１は、ＨＤＤレコーダ１０の外部に備えられても良い。
【００２３】
ＨＤＤレコーダ１０は、前述した複数のブロックだけでなく、ＬＡＮ又はＷＡＮなどのネットワークを介して通信を行う通信処理部を有するネットワーク通信機能を実現するブロック（不図示）を備えてもよい。このブロックは、接続したネットワーク先の特定サーバや記録媒体などの情報提供源から、コンテンツの映像音声情報やコンテンツ関連情報が含まれる情報を受け、この情報に基づくＴＳ信号を信号処理制御部４０へ出力する。また信号処理制御部４０は、入力ソースの一つとして、このブロックから入力されるＴＳ信号を選択することも可能である。
【００２４】
さらにＨＤＤレコーダ１０は、光ディスクからの情報の読み出し又は光ディスクへの情報の書き込みを実行するＯＤＤ（Optical Disc Drive）（不図示）を備えてもよい。このＯＤＤは、光ディスクからコンテンツの映像音声情報やコンテンツ関連情報が含まれる情報を受け、この情報に基づくＴＳ信号を信号処理制御部４０へ出力する。また信号処理制御部４０は、入力ソースの一つとして、このブロックから入力されるＴＳ信号を選択することも可能である。
【００２５】
なお本実施形態は、本発明に係る構成を適用した情報編集装置として、ＨＤＤレコーダ１０を例とした実施形態である。しかし本実施形態に係る構成が、パーソナルコンピュータ、携帯型移動端末装置、光ディスクレコーダ、テレビジョン受像機などの情報編集装置に適用された実施形態であっても構わない。また、地上放送や衛星放送だけでなく、ラジオ放送やインターネット又はケーブルネットワーク等を用いた有線放送などを受信するセットトップボックスなどを例とした実施形態であってもよい。
【００２６】
このような構成により、本発明の実施形態に係るＨＤＤレコーダ１０に備えられた複数のブロックは、様々な入力ソースからの放送番組のＴＳ信号に基づいて複数のプレイリストを生成する。またＨＤＤレコーダ１０は、複数のプレイリストを生成するために必要となる情報を得るための所定の処理を実行する。従って本実施形態に係るＨＤＤレコーダ１０は、１つのコンテンツに基づいた複数のプレイリストを自動生成することができる。これらの処理は、主に信号処理制御部４０が複数の処理を実行することで実現されるものである。
【００２７】
次に、図２を用いて、図１で説明した信号処理制御部４０に備えられ、プレイリスト生成処理を実行する各ブロックの構成を説明する。
図２は、信号処理制御部４０に備えられ、プレイリスト生成処理を実行する各ブロックからなるシステム構成図である。
前述したとおり本実施形態に係るプレイリスト生成処理では、１つのコンテンツに基づいた複数のプレイリストが生成される。従って、本実施形態に係るプレイリスト生成処理は、様々な入力ソースから入力された１つのコンテンツのＴＳ信号に対して施されるものである。
【００２８】
信号処理制御部４０は、エンコーダ２０１、再生処理部２０２、ＴＳ処理部２０３、デコーダ２０４、記録処理部２０５、シーン分析部２０６、プレイリスト生成部２０７、情報管理部２０８、ＯＳＤ生成部２０９、合成部２１０などを備えている。
【００２９】
エンコーダ２０１は、外部機器ＩＦ部２１から入力されたＡ／Ｄ変換後の映像音声信号に所定の処理を施して符号化する。エンコーダ２０１は、映像音声に関する情報が含まれ、符号化したＴＳ信号をＴＳ処理部２０３へ出力する。またエンコーダ２０１は外部機器ＩＦ部２１からＴＳ信号を入力された場合、このＴＳ信号をＴＳ処理部２０３へ出力する。このエンコーダ２０１は、ＭＰＥＧフォーマットに基づいて符号化したＴＳ信号をＴＳ処理部２０３へ出力する。
【００３０】
再生処理部２０２は、情報管理部２０８から入力された映像音声に関する情報が含まれる信号に所定の処理を施してＴＳ信号に変換する。再生処理部２０２は、このＴＳ信号をＴＳ処理部２０３へ出力する。この再生処理部２０２は、ＭＰＥＧフォーマットに準拠したＰＳ信号又はＴＴＳ信号を入力され、同ＭＰＥＧフォーマットに基づいて符号化したＴＳ信号をＴＳ処理部２０３へ出力する。
【００３１】
ＴＳ処理部２０３は、放送波処理部２０、エンコーダ２０１又は再生処理部２０２から入力されたコンテンツのＴＳ信号を分離して、映像情報、音声情報及びその他の情報を抽出する。この抽出された情報は、シーンごとに様々な特徴を有する映像情報又は音声情報を含んでいる。ＴＳ処理部２０３は、抽出した情報それぞれを並列的にデコーダ２０４、記録処理部２０５及びシーン分析部２０６へ出力する。またＴＳ処理部２０３は、コンテンツのジャンルに関する情報を抽出すると共に、この情報を記録処理部２０５及びシーン分析部２０６へ出力する。
【００３２】
デコーダ２０４は、ＴＳ処理部２０３から入力された映像情報又は音声情報が含まれる情報に所定の処理を施して復号化する。そしてデコーダ２０４は、復号化した映像信号を合成部２１０へ、復号化した音声信号を音声出力処理部５２へそれぞれ出力する。このデコーダ２０４は、ＭＰＥＧフォーマットに基づいて復号化した映像信号及び音声信号を合成部２１０及び音声出力処理部５２へ出力する。
【００３３】
記録処理部２０５は、ＴＳ処理部２０３から入力された映像情報又は音声情報が含まれる情報に、この情報を記録するための所定の処理を施して所定のフォーマットの信号に変換する。記録処理部２０５は、変換した信号を情報管理部２０８へ出力する。この記録処理部２０５は、ＭＰＥＧフォーマットに基づいて変換したＰＳ信号又はＴＴＳ信号を情報管理部２０８へ出力する。
【００３４】
シーン分析部２０６は、ＴＳ処理部２０３から入力された映像情報又は音声情報が含まれる情報を分析する。この分析においてシーン分析部２０６は、入力された情報に基づいて例えば画像フレーム単位といったシーンごとの特徴を検出する。例えばこの特徴は、音声情報に基づく無音部や所定音量を超える箇所、映像情報に基づく単一色部や固定箇所にテロップが出現する箇所などである。またシーン分析部２０６は、検出した特徴が切り替わるシーンに対して、このシーンを検索可能なデータアドレス情報又は時間情報といった検索情報を特定する。そしてシーン分析部２０６は、この検索情報に基づいてコンテンツの情報を時間軸で複数の区間に区分ける。さらにシーン分析部２０６は、検索情報で区分けられた複数の区間それぞれに対して、区間ごとの特徴に基づいてそれぞれの区間を分類するための情報を示すカテゴリを特定する。このカテゴリは、コンテンツの本編シーン又はコマーシャルメッセージシーンといったシーン種別を示す情報である。またカテゴリは、音楽が演奏される音楽シーンや、大勢の人の歓声が沸き起こるハイライトシーンなどを示す情報であってもよい。従ってこのカテゴリは、１つのシーンに対して複数検出される可能性がある。そしてシーン分析部２０６は分析結果としての検索情報とカテゴリに関する情報とを関連付けて情報管理部２０８へ出力する。なおシーン検索部２０６が実行する情報の分析には、例えば、特許第４４２７６００号に開示されている本編とコマーシャルメッセージとの境界を検出する手法が適用可能である。さらにシーン分析部２０６は、ＴＳ処理部２０３から入力されたコンテンツのジャンルに関する情報も利用して、カテゴリを特定することも可能である。例えば、入力されたコンテンツのジャンルが音楽ジャンルであれば音楽シーンに該当するカテゴリ、スポーツジャンルであればハイライトシーンに該当するカテゴリなどが選択的に特定される。
【００３５】
プレイリスト生成部２０７は、情報管理部２０８から取得した、コンテンツの映像情報又は音声情報が含まれる情報に基づいて、このコンテンツに関するプレイリストを生成する。具体的には、このプレイリスト生成部２０７は、対象となるコンテンツの情報に対するシーン分析部２０６による分析結果及びプレイリストの生成対象となるテゴリに関する情報を情報管理部２０８から取得する。そしてプレイリスト生成部２０７は、このコンテンツの複数の区間に複数のカテゴリが特定され、且つ、このカテゴリがプレイリストの生成対象である場合、カテゴリごとの複数のプレイリストを生成する。カテゴリごとのプレイリストは、このコンテンツの情報のうち、共通のカテゴリとして検出された区間のみを再生するためのプレイリストである。さらにプレイリスト生成部２０７は、生成した複数のプレイリストに関する情報を情報管理部２０８へ出力する。
【００３６】
情報管理部２０８は、コンテンツのデータやプレイリストのデータを保存するための管理を行う。また情報管理部２０８は、再生処理部２０２、記録処理部２０５、シーン分析部２０６、プレイリスト生成部２０７及びＯＳＤ生成部２０９からの要求に応じて、ＨＤＤ６１に対する情報の記録又は読み出しを行う。情報管理部２０８は、これらのブロックから入力される情報のうち、関連付ける必要のある情報については、関連付けを行うと共にこの情報をＨＤＤ６１へ記録する。また情報管理部２０８は、これらのブロックが要求する情報に関連付けられた他の情報を必要に応じてＨＤＤ６１から読み出し、読み出した情報を各ブロックへ出力する。情報管理部２０８は、ＨＤＤレコーダ１０の外部に接続されたＨＤＤに対して情報を保存するための管理を行うこともある。
【００３７】
ＯＳＤ生成部２０９は、情報管理部２０８から取得した情報に基づいたＯＳＤを生成し、生成したＯＳＤの映像信号を合成部２１０へ出力する。このＯＳＤ生成部２０９は、プレイリスト生成部２０７がプレイリストを生成するために必要な情報を選択して設定することをユーザに許可するためのＯＳＤを生成する。
【００３８】
合成部２１０は、デコーダ２０４及びＯＳＤ生成部２０９それぞれから入力された映像信号がひとつの画面で出力されるように合成する。合成部２１０は合成した画面の映像信号を映像出力処理部５１へ出力する。
【００３９】
すなわち、これら複数のブロックによるシステム構成により、信号処理制御部４０は、複数のプレイリストを生成するために必要となる情報を得るために、映像情報又は音声情報に基づいてシーンごとの特徴を分析する。また信号処理制御部４０は、複数のプレイリストを生成するために必要な情報を設定することをユーザに許可するためのＯＳＤを生成する。そして信号処理制御部４０は、様々な入力ソースからのコンテンツである放送番組のＴＳ信号に基づいて複数のプレイリストを生成する。従って本実施形態に係るＨＤＤレコーダ１０は、１つのコンテンツに基づいた複数のプレイリストを自動生成することができる。
【００４０】
次に、図３を用いて、図２で説明したＯＳＤ生成部２０９によって生成される、複数のプレイリストを生成するために必要な情報を設定するためのＯＳＤを説明する。
【００４１】
図３は、複数のプレイリストを生成するために必要な情報を設定するためのＯＳＤの例を示す図である。
図３に示すＯＳＤ４００は、このＯＳＤ４００の上段のタイトルに記述されているように、プレイリスト生成部２０７によって生成されるプレイリストの項目を設定するための画面である。このプレイリストの項目は、プレイリストの基の素材となるコンテンツの情報における区間ごとの特徴に応じたカテゴリを示している。ＨＤＤレコーダ１０の利用者は、操作部３１やリモコン９９に備えられた操作キー（不図示）によって、ＯＳＤ４００の画面の操作を行うことができる。このＯＳＤ４００の画面は、操作部３１やリモコン９９に備えられた、ＨＤＤレコーダ１０の初期設定のための操作キー（不図示）によって提示される。
【００４２】
ＯＳＤ４００には、複数の項目（カテゴリ）４１０ａ〜４１０ｄが提示される。これら複数の項目（カテゴリ）４１０ａ〜４１０ｄは、複数のプレイリストを生成するためのカテゴリの候補である。また項目（カテゴリ）４１０ａ〜４１０ｄそれぞれの隣には、対応する項目を選択するか否かを設定するための設定枠４２０ａ〜４２０ｄが提示される。この設定枠４２０ａ〜４２０ｄは選択可能に提示されている。例えば図３に示すＯＳＤ４００の画面は、コマーシャルプレイリストを示す項目（カテゴリ）４１０ｂに対応する設定枠４２０ｂが選択されている状態である。この状態では、輪郭を太くすることで強調表示する態様によって、設定枠４２０ｂが選択されていることが示される。選択されていることを示すためには、この態様に限定されるものでなく、例えば設定枠４２０ｂの内部の色や輪郭の色を他の設定枠とは異なる色とする態様であってもよい。
【００４３】
また図３に示すＯＳＤ４００の画面は、本編プレイリストを示す項目（カテゴリ）４１０ａ及び音楽プレイリストを示す項目（カテゴリ）４１０ｃが設定されている状態である。この状態では、本編プレイリストを示す項目（カテゴリ）４１０ａに対応する設定枠４２０ａの内部の色を非選択の設定枠とは異なる色とする態様によって、設定枠４２０ａが設定されていることが示される。また音楽プレイリストを示す項目（カテゴリ）４１０ｃに対応する設定枠４２０ｃも同様に設定されていることが示される。従って図３に示すＯＳＤ４００の画面によれば、本編プレイリスト及び音楽プレイリストが、プレイリスト生成部２０７によって生成される対象となっていることが示されている。
【００４４】
さらに図３に示すＯＳＤ４００の画面の下部には、設定枠４２０ａ〜４２０ｄのうちの何れかを選択する操作、選択した設定枠を設定する操作を行うための操作ガイド４３０が提示される。このガイド４３０によって提示されるグラフィックの形状や文字は、操作部３１やリモコン９９に備えられた操作キー（不図示）に対応している。従ってＨＤＤレコーダ１０の利用者は、容易にプレイリストの自動生成の対象となる項目（カテゴリ）を選択することが可能となる。
【００４５】
すなわち、プレイリスト生成部２０７は、ＯＳＤ４００の画面で提示される設定枠４２０ａ〜４２０ｄに対する設定状態に応じて、複数のプレイリストを生成することになる。
【００４６】
次に、図４を用いて、図２で説明した信号処理制御部４０に備えられる各ブロックによって実行される、プレイリスト生成処理の動作を説明する。
図４は、プレイリスト生成処理の動作を説明するためのフローチャートである。
まず、プレイリスト生成部２０７は、コンテンツの情報の区間ごとのカテゴリに関する分析結果及びプレイリストの生成対象となるカテゴリに関する情報を情報管理部２０８から取得する。プレイリスト生成部２０７は、取得した情報に基づいて必要なプレイリストを生成することになる。図４に示すフローチャートでは、プレイリストの生成対象となるカテゴリに関する情報として、図３に示したＯＳＤ３００に提示された４つのカテゴリ全てが選択されている状態で実行されるものとする。また、この４つのカテゴリ全てが、コンテンツの情報の区間ごとのカテゴリに関する分析結果として検出されているものとする。
【００４７】
プレイリスト生成部２０７は、対象となるカテゴリとして本編プレイリストを生成するか否かを判定する（Ｓ４０１）。本編プレイリストを生成する判定結果の場合（Ｓ４０１のＹｅｓ）、プレイリスト生成部２０７は、本編シーンとして検出された区間を所定順序（例えば時間が古い順）で再生するためのプレイリストを生成する（Ｓ４０２）。そして本編プレイリストを生成した後、プレイリスト生成部２０７は、対象となるカテゴリとしてコマーシャルプレイリストを生成するか否かを判定する（Ｓ４０３）。また本編プレイリストを生成しない判定結果の場合（Ｓ４０１のＮｏ）も、プレイリスト生成部２０７は、コマーシャルプレイリストを生成するか否かを判定する（Ｓ４０３）。
【００４８】
コマーシャルプレイリストを生成する判定結果の場合（Ｓ４０３のＹｅｓ）、プレイリスト生成部２０７は、コマーシャルシーンとして検出された区間を所定順序（例えば時間が古い順）で再生するためのプレイリストを生成する（Ｓ４０４）。そしてコマーシャルプレイリストを生成した後、プレイリスト生成部２０７は、対象となるカテゴリとして音楽プレイリストを生成するか否かを判定する（Ｓ４０５）。またコマーシャルプレイリストを生成しない判定結果の場合（Ｓ４０３のＮｏ）も、プレイリスト生成部２０７は、音楽プレイリストを生成するか否かを判定する（Ｓ４０５）。
【００４９】
音楽プレイリストを生成する判定結果の場合（Ｓ４０５のＹｅｓ）、プレイリスト生成部２０７は、音楽シーンとして検出された区間を所定順序（例えば時間が古い順）で再生するためのプレイリストを生成する（Ｓ４０６）。そして音楽プレイリストを生成した後、プレイリスト生成部２０７は、対象となるカテゴリとしてハイライトプレイリストを生成するか否かを判定する（Ｓ４０７）。また音楽コマーシャルプレイリストを生成しない判定結果の場合（Ｓ４０５のＮｏ）も、プレイリスト生成部２０７は、ハイライトプレイリストを生成するか否かを判定する（Ｓ４０７）。
【００５０】
ハイライトプレイリストを生成する判定結果の場合（Ｓ４０７のＹｅｓ）、プレイリスト生成部２０７は、ハイライトシーンとして検出された区間を所定順序（例えば時間が古い順）で再生するためのプレイリストを生成する（Ｓ４０８）。そしてハイライトプレイリストを生成した後、又は、ハイライコマーシャルプレイリストを生成しない判定結果の場合（Ｓ４０７のＮｏ）、プレイリスト生成部２０７は、これまでに生成した複数のプレイリストを情報管理部２０８へ出力してＨＤＤ６１へ保存させる（Ｓ４０９）。
【００５１】
なお、図３に示したフローチャートに沿って複数のプレイリストが生成される必要はない。それぞれのプレイリストは互いに独立しているので、それぞれのプレイリストの生成順序を入れ替えることは容易に可能である。またそれぞれのプレイリストは並列的に生成されてもよい。
【００５２】
このような動作に基づいて、ユーザによって選択された項目（カテゴリ）に対応した複数のプレイリストが生成される。従って本実施形態に係るＨＤＤレコーダ１０は、１つのコンテンツに基づいた複数のプレイリストを自動生成することができる。
【００５３】
次に、図５、６を用いて、シーン分析部２０６によるコンテンツの情報の分析結果及び、この分析結果に応じてプレイリスト生成部２０７が生成する複数のプレイリストの具体例を説明する。
【００５４】
図５、６は、シーン分析部２０６によるコンテンツの情報の分析結果及び、この分析結果に応じてプレイリスト生成部２０７が生成する複数のプレイリストの具体例を示す図である。
【００５５】
図５に示す第１の具体例では、生成される複数のプレイリストの基となるオリジナルコンテンツ＃１のジャンルは音楽である。またオリジナルコンテンツ＃１の時間長は、Ｔ９−Ｔ０の長さである。シーン分析部２０６は、オリジナルコンテンツ＃１の情報を分析する際に、ジャンルが音楽であるためにハイライトシーンを示すカテゴリが特定される区間を検出しない。従ってオリジナルコンテンツ＃１の情報からは、本編シーン、コマーシャルシーン及び、音楽シーンの３つのシーンを示すカテゴリが特定される区間が検出される。コンテンツのジャンルが音楽である場合に本編シーン、コマーシャルシーン及び、音楽シーンの３つのシーンを示すカテゴリが検出されることは予め決定されている。
【００５６】
図５に示す第１の具体例では、本編シーンとしてＡ１（区間：Ｔ１〜Ｔ５）、Ａ２（区間：Ｔ６〜Ｔ８）の２つの区間、コマーシャルシーンとしてＢ１（区間：Ｔ０〜Ｔ１）、Ｂ２（区間：Ｔ５〜Ｔ６）、Ｂ３（区間：Ｔ８〜Ｔ９）の３つの区間が検出される。また音楽シーンとしてＣ１（区間：Ｔ２〜Ｔ３）、Ｃ２（区間：Ｔ４〜Ｔ５）、Ｃ３（区間：Ｔ７〜Ｔ８）の３つの区間も検出される。本編シーンＡ１、Ａ２とコマーシャルシーンＢ１、Ｂ２、Ｂ３とでは、重複する区間はない。しかし本編シーンＡ１、Ａ２と音楽シーンＣ１、Ｃ２、Ｃ３とでは、重複する区間が生じている。これは、音楽シーンであれば本編シーンであることを示している。換言すると、音楽シーンは本編シーンの一部として検出されることになる。すなわち、Ａ１且つＣ１（区間：Ｔ２〜Ｔ３）、Ａ１且つＣ２（区間：Ｔ４〜Ｔ５）、Ａ２且つＣ３（区間：Ｔ７〜Ｔ８）の３つの区間では、本編シーンと音楽シーンとの２つのシーンを示すカテゴリが検出されたことを意味している。
【００５７】
本実施形態では、音楽シーンは本編シーンの一部として検出されるが、これに限定されるものではない。例えば、音楽シーンがコマーシャルシーンの一部として検出されてもよい。また音楽シーンが本編シーン及びコマーシャルシーンの何れかから検出されてもよい。
【００５８】
そしてこのように、本編シーン、コマーシャルシーン及び、音楽シーンの３つのシーンを示すカテゴリが特定された複数の区間が区分けられたオリジナルコンテンツ＃１の情報に基づいて、図３に示したフローチャートに沿って複数のプレイリストが生成される。
【００５９】
すなわち、本編シーンとして検出されたＡ１とＡ２とが再生される本編プレイリスト、コマーシャルシーンとして検出されたＢ１、Ｂ２及びＢ３が再生されるコマーシャルプレイリスト、さらには、音楽シーンとして検出されたＣ１、Ｃ２及びＣ３が再生される音楽プレイリストが生成されることになる。これら複数のプレイリストにおいてそれぞれの区間は、例えば時間が古いものから順に再生される。
【００６０】
本第１の具体例では、Ｔ０〜Ｔ９の間に存在し、カテゴリが切り替わる境界としての複数の検索情報には、チャプタ点は付与されない。すなわちオリジナルコンテンツ＃１に対してはチャプタが１つしか存在しないことになる。しかし前述した複数のプレイリストに対しては、それぞれの区間の切り替わり箇所である検索情報に基づいて、チャプタ点が付与されることが好ましい。すなわち、シーン分析部２０６が特定する検索情報に基づいてチャプタ点を付与するか否かは、任意に決定されてよい。
【００６１】
なお、オリジナルコンテンツ＃１のジャンルが音楽であるためにハイライトシーンを検出しない実施形態を説明したが、これに限定されるものではない。例えば、ハイライトシーンは検出されるが、ハイライトプレイリストは生成されない実施形態であってもよい。また。ジャンルが音楽であってもハイライトシーンが検出され、さらにハイライトプレイリストが生成される実施形態であってもよい。このように、コンテンツのジャンルに応じて検出されるシーン又はプレイリストに関するカテゴリを予め決定するか否かは任意であるが、ジャンルによって適したカテゴリに限定するほうが好ましい。
【００６２】
図６に示す第２の具体例では、生成される複数のプレイリストの基となるオリジナルコンテンツ＃２のジャンルはスポーツである。またオリジナルコンテンツ＃２の時間長は、Ｔｈ−Ｔ０の長さである。シーン分析部２０６は、オリジナルコンテンツ＃２の情報を分析する際に、ジャンルがスポーツであるために音楽シーンを示すカテゴリが特定される区間を検出しない。従ってオリジナルコンテンツ＃２の情報からは、本編シーン、コマーシャルシーン及び、ハイライトシーンの３つのシーンを示すカテゴリが特定される区間が検出される。コンテンツのジャンルがスポーツである場合に本編シーン、コマーシャルシーン及び、ハイライトシーンの３つのシーンを示すカテゴリが検出されることは予め決定されている。
【００６３】
すなわち、図６に示す第２の具体例では、本編シーンとして２つ、コマーシャルシーンとして３つ、さらにハイライトシーンとして７つの区間が検出される。そして、図５に示した第１の具体例と同様に、本編シーンとハイライトシーンとでは、重複する区間が生じている。従ってこの重複する区間では、本編シーンとハイライトシーンとの２つのシーンを示すカテゴリが検出されたことを意味している。
【００６４】
そしてこのように、本編シーン、コマーシャルシーン及び、ハイライトシーンの３つのシーンを示すカテゴリが特定された複数の区間が区分けられたオリジナルコンテンツ＃２の情報に基づいて、図３に示したフローチャートに沿って複数のプレイリストが生成される。
【００６５】
すなわち、本編シーンとして検出された２つの区間が再生される本編プレイリスト、コマーシャルシーンとして検出された３つの区間が再生されるコマーシャルプレイリストが生成される。さらには、ハイライトシーンとして検出された７つの区間が再生されるハイライトプレイリストも生成される。これら複数のプレイリストにおいてそれぞれの区間は、例えば時間が古いものから順に再生される。
【００６６】
本第２の具体例でも、前述した複数のプレイリストに対しては、それぞれの区間の切り替わり箇所である検索情報に基づいて、チャプタ点が付与されることが好ましい。シーン分析部２０６が特定する検索情報に基づいてチャプタ点を付与するか否かは、任意に決定されてよい。
【００６７】
コンテンツのジャンルに応じて検出されるシーン又はプレイリストに関するカテゴリを予め決定するか否かは任意であるが、ジャンルに適したカテゴリに限定するほうが好ましい。
【００６８】
ここで、生成されるプレイリストに関するカテゴリが、オリジナルコンテンツのジャンルによって決定されない場合を考える。この場合は、図３に示したＯＳＤ３００に提示された４つのカテゴリ候補のうちから選択されたカテゴリのプレイリストが生成対象となる。しかし、オリジナルコンテンツの情報に対する分析結果で、この４つのカテゴリ候補のうちから選択されたカテゴリとして特定された区間が検出されないケースもある。このようなケースでは、４つのカテゴリ候補のうちから選択されたカテゴリであって、且つ、複数の区間それぞれに対して特定されたカテゴリに対する複数のプレイリストが生成されることになる。
【００６９】
次に、図７、８を用いて、図２で説明したＯＳＤ生成部２０９によって生成される、保存されたコンテンツ及び複数のプレイリストに関する情報を提示するためのＯＳＤを説明する。
【００７０】
図７、８は、保存されたコンテンツ及び複数のプレイリストに関する情報を提示するためのＯＳＤの例を示す図である。
図７に示すＯＳＤ７００は、このＯＳＤ７００の上段のタイトルに記述されているように、ＨＤＤ６１等の記憶媒体に保存されたコンテンツ及び複数のプレイリストに関する情報を一覧して提示するための画面である。このＯＳＤ７００には、図５、６に示したオリジナルコンテンツ＃１、＃２及びこれらのコンテンツに基づいて生成された複数のプレイリストに関する情報が提示される。換言すると、ＯＳＤ７００は、複数のプレイリストそれぞれを識別するための複数の識別画像が選択可能に一画面内に提示される画面である。
【００７１】
オリジナルコンテンツ＃１に基づいて生成された複数のプレイリストそれぞれのデータには、「＃１＿本編プレイリスト」、「＃１＿コマーシャルプレイリスト」及び「＃１＿音楽プレイリスト」という名称が付与されて保存されている。またオリジナルコンテンツ＃１自体の情報は、「＃１＿フォルダ」という名称が付与されたフォルダ内に保存されている。
【００７２】
また、オリジナルコンテンツ＃２に基づいて生成された複数のプレイリストそれぞれのデータには、「＃２＿本編プレイリスト」、「＃２＿コマーシャルプレイリスト」及び「＃２＿音楽プレイリスト」という名称が付与されて保存されている。またオリジナルコンテンツ＃２自体の情報は、「＃２＿フォルダ」という名称が付与されたフォルダ内に保存されている。このそれぞれのデータやフォルダに付与された名称は、それぞれのデータを保存するためにそれぞれのデータやフォルダのファイル名を示す管理情報である。そしてこの管理情報としてのデータやフォルダに付与された名称には、カテゴリやコンテンツ名称を一意的に識別できる識別情報が付与されている。例えば、識別情報は、本編プレイリストやコマーシャルプレイリストなどを指している。
【００７３】
また、ＨＤＤ６１でのデータ保存におけるフォルダの階層構造においては、複数のプレイリストそれぞれのデータは、基となったコンテンツのデータよりも浅いフォルダの階層構造となるように管理されている。このＯＳＤ７００では、複数のプレイリストそれぞれのデータ及び、この複数のプレイリストの基となったコンテンツのデータの保存に関するフォルダの階層構造が概念的に提示されている。
【００７４】
図８に示すＯＳＤ８００も、図７に示したＯＳＤ７００と同様に、ＨＤＤ６１に保存されたコンテンツ及び複数のプレイリストに関する情報を一覧して提示するための画面である。このＯＳＤ８００には、図５、６に示したオリジナルコンテンツ＃１、＃２及びこれらのコンテンツに基づいて生成された複数のプレイリストに関する情報がツリー状に提示される。換言すると、ＯＳＤ８００も、複数のプレイリストそれぞれを識別するための複数の識別画像が選択可能に一画面内に提示される画面である。
【００７５】
つまり図８に示すＯＳＤ８００と図７に示したＯＳＤ７００とでは、提示している情報の実質的な意味は同じであるが、画面内での情報の表示態様が異なるものである。
【００７６】
すなわちこのＯＳＤ８００では、複数のプレイリストそれぞれのデータ及び、この複数のプレイリストの基となったコンテンツのデータの保存に関するフォルダの階層構造がツリー状に提示されている。
【００７７】
以上説明したように本実施形態によれば、コンテンツのデータが、シーンごとの特徴に基づいて時間軸で複数の区間に区分けられる。また区分けられた複数の区間それぞれに対してカテゴリが特定される。そして、この複数の区間のうちカテゴリが同じ区間を所定順序で再生するためのプレイリストが複数生成される。さらに、生成された複数のプレイリストそれぞれを識別するための複数の識別画像が選択可能に一画面内に提示される画面が出力される。従って、本発明によれば、１つのコンテンツに基づいた複数のプレイリストを自動生成することができる。複数のプレイリストが自動生成されるので、機器の利用者のコンテンツの編集に関する操作負担を軽減することが可能となる。
【００７８】
なお本発明は、前述した実施形態に限定されるものではなく、本発明の要旨を変えない範囲において、種々の変更、改変等が可能である。また、前述した実施形態に開示されている複数の構成要素を適宜に組み合わせることにより、種々の発明を形成することができる。例えば、実施形態に示される全構成要素から幾つかの構成要素を削除してもよく、さらに、異なる実施形態に係る構成要素を適宜組み合わせても良い。
【符号の説明】
【００７９】
１０…ＨＤＤレコーダ、２０…放送波処理部、２１…外部機器ＩＦ部、３１…操作部、３２…受光部、４０…信号処理制御部、５１…映像出力処理部、５２…音声出力処理部、６１…ＨＤＤ、９８…アンテナ、９９…リモコン、２０１…エンコーダ、２０２…再生処理部、２０３…ＴＳ処理部、２０４…デコーダ、２０５…記録処理部、２０６…シーン分析部、２０７…プレイリスト生成部、２０８…情報管理部、２０９…ＯＳＤ生成部、２１０…合成部、４００，７００，８００…ＯＳＤ、４１０ａ〜４１０ｄ…項目（カテゴリ）、４２０ａ〜４２０ｄ…設定枠、４３０…ガイド。
【図１】
2011205415.tif 000003
【図２】
2011205415.tif 000004
【図３】
2011205415.tif 000005
【図４】
2011205415.tif 000006
【図５】
2011205415.tif 000007
【図６】
2011205415.tif 000008
【図７】
2011205415.tif 000009
【図８】
2011205415.tif 000010